(57)【要約】【課題】専用工具や電気回路を使用せずに、簡素で便利な手段によって、一対のコネクタの嵌合状態のロック及びロックの解除を行えるコネクタを提供する。【解決手段】一方のコネクタのダボ４ａ１は、他方のコネクタのカム溝１４ａ１内を（Ａ）の非ロック状態では、矢印方向に（Ｂ）の位置まで移動できる。この状態で、ロック部１４ａ２の鍵孔を有する部材１４ａ２ａを鍵によって９０度右回転すると、ロック部に収納されているストッパ１４ａ２ｂが、カム溝１４ａ１まで突出して（Ｃ）のロック状態に至る。この状態で、一方のコネクタを他方のコネクタから離脱しようとしても、（Ｄ）のようにダボはストッパによって矢印方向の移動を阻止される。鍵孔を有する部材を９０度回転すると、ストッパはカム溝から退出する。したがって、（Ｅ）のように、ダボはカム溝内を矢印方向に移動できるので、一方のコネクタは他方のコネクタから離脱できる。【選択図】      図３
2004303581.tif 000002
【特許請求の範囲】
【請求項１】
第１のコネクタと第２のコネクタとの嵌合をロックするロック機構を有するコネクタにおいて、
前記ロック機構は、前記第１のコネクタに設けられたカム部と、前記第１のコネクタに設けられたロック部と、前記第１のコネクタに設けられ、かつ、前記ロック部を操作する操作部と、前記第２のコネクタに設けられ、かつ、前記カム部内を移動するダボとから構成され、
前記ロック部は、前記カム部に対して挿入退出することができるものであり、前記操作部を操作することによって、前記ロック部が移動して、前記第１のコネクタと前記第２のコネクタとの嵌合のロック及び前記ロックの解除を行うことができることを特徴とするコネクタ。
【請求項２】
前記操作部は鍵と鍵孔を有し、前記鍵を前記鍵孔に挿入して回転させることによって、前記ロック部を操作することを特徴とする請求項１記載のコネクタ。
【請求項３】
前記操作部は少なくとも１個のダイヤル錠を有し、前記ダイヤル錠を回転させることによって、前記ロック部を操作することを特徴とする請求項１記載のコネクタ。
【発明の詳細な説明】
【０００１】
【発明の属する技術分野】
本発明は、第１のコネクタと第２のコネクタとの嵌合状態のロック及びロックの解除を行うことができるバヨネット式等のコネクタに関する。
【０００２】
【従来の技術】
まず、第１の従来の技術の同軸コネクタ用プラグについて説明する（例えば、特許文献１参照。）。
【０００３】
同軸コネクタ用プラグでは、図１０（Ａ）に示されるように、同軸ケーブルが接続される円筒状本体６１に直交する方向に同軸コネクタ７１が連結される。円筒状本体６１の側面には、円筒状固定金具６３が固定され、円筒状固定金具６３の外周面には、円筒状接続ナット６４がはめ込まれ、また、円筒状固定金具６３の内部には、貫通孔を有する絶縁体６５が圧入される。円筒状本体６１と円筒状接続ナット６４との間にスプリングワッシャ６６が挟持される。同軸コネクタ７１の先端部の外周面は、円筒状接続ナット６４の先端部の内周面にねじ込まれる。円筒状本体６１に保持される中心コンタクト導体６２の一端は、同軸ケーブルの芯線導体先端と接続し、中心コンタクト導体６２の他端は、円筒状固定金具６３の内部の絶縁体６５に保持されて同軸コネクタ７１の接栓７２と接続する。
【０００４】
円筒状接続ナット６４の外周面の数箇所には、孔部６４ａが設けられている。孔部６４ａに対応して、図１０（Ｂ）に示されるように、専用工具８１の凹部８１ａには、突起部８１ｂが設けられている。
【０００５】
円筒状本体６１と同軸コネクタ７１との連結を解除する場合には、専用工具８１の突起部８１ｂを円筒状接続ナット６４の孔部６４ａに係合させて、専用工具８１を回転させる。なお、通常のスパナによっては、円筒状接続ナット６４を回転させることはできない。
【０００６】
次に、第２の従来の技術のコネクタ装置について説明する（例えば、特許文献２参照。）。
【０００７】
コネクタ装置は、外筒と、外筒の内部で１８０度回転可能な内筒と、内筒に対して挿入抜去される鍵とから構成される。鍵を回転することによって、内筒が１８０度回転したとき、外筒に設けられている信号線と鍵に設けられているケーブルとが接続する。
【０００８】
【特許文献１】
特開２０００−３２３２４４号公報（第４頁第５欄第３１行−第６欄第３４行、図１，２）
【０００９】
【特許文献２】
特開２００３−５６２２１号公報（第３頁第４欄第３７行−第４頁第５欄第４３行、図１，２）
【００１０】
【発明が解決しようとする課題】
第１の従来の技術では、専用工具を使用することによって、円筒状本体と同軸コネクタとの連結及び連結の解除を行うものである。
【００１１】
第２の従来の技術では、鍵を回転することができたとき、電気回路が接続されるものである。
【００１２】
本発明は、両従来の技術の欠点を改良し、専用工具や電気回路を使用せずに、簡素で便利な手段によって、第１のコネクタと第２のコネクタとの嵌合状態のロック及びロックの解除を行うことができるコネクタを提供しようとするものである。
【００１３】
【課題を解決するための手段】
本発明は、前記課題を解決するため、次の手段を採用する。
【００１４】
１．第１のコネクタと第２のコネクタとの嵌合をロックするロック機構を有するコネクタにおいて、前記ロック機構は、前記第１のコネクタに設けられたカム部（カム溝１４ａ１，３４ａ１）と、前記第１のコネクタに設けられたロック部（ストッパ１４ａ２ｂ、突出部４８ａ）と、前記第１のコネクタに設けられ、かつ、前記ロック部を操作する操作部（かぎ、ダイヤル錠４２，４４）と、前記第２のコネクタに設けられ、かつ、前記カム部内を移動するダボとから構成され、前記ロック部は、前記カム部に対して挿入退出することができるものであり、前記操作部を操作することによって、前記ロック部が移動して、前記第１のコネクタと前記第２のコネクタとの嵌合のロック及び前記ロックの解除を行うことができるコネクタ。
【００１５】
２．前記操作部は鍵と鍵孔を有し、前記鍵を前記鍵孔に挿入して回転させることによって、前記ロック部を操作する前記１記載のコネクタ。
【００１６】
３．前記操作部は少なくとも１個のダイヤル錠を有し、前記ダイヤル錠を回転させることによって、前記ロック部を操作する前記１記載のコネクタ。
【００１７】
【発明の実施の形態】
本発明の２つの実施の形態例のバヨネット式のコネクタについて説明する。
【００１８】
まず、本発明の第１実施の形態例のコネクタについて図１〜図４を参照して説明する。
【００１９】
図１に示されるように、レセプタクルコネクタ１は、円筒形のインシュレータ２と、インシュレータ２に保持される１本のレセプタクルコンタクト３と、インシュレータ２を被覆する円筒形部４ａを有するシェル４とから構成される。シェル４は、円筒形部４ａと長方形板の支持部４ｂとから一体に構成される。円筒形部４ａの外周面には、ダボ４ａ１が設けられる。支持部４ｂは、諸装置の壁等に取り付けられる。
【００２０】
図２に示されるように、プラグコネクタ１１は、円筒形のインシュレータ（図示せず）と、インシュレータに保持される１本のプラグコンタクト（図示せず）と、インシュレータを被覆する円筒形部１４ａを有するシェル１４とから構成される。シェル１４は、円筒形部１４ａと円形板の支持部（図示せず）とから一体に構成される。円筒形部１４ａの一端側にカム溝１４ａ１が設けられる。また、円筒形部１４ａの外周面には、カム溝１４ａ１に橋渡しをするようにロック部１４ａ２が設けられる。
【００２１】
レセプタクルコネクタ１とプラグコネクタ１１とを嵌合すると、レセプタクルコネクタ１のダボ４ａ１は、プラグコネクタ１１のカム溝１４ａ１内を図３（Ａ）に示される非ロック状態では、矢印方向に図３（Ｂ）の位置まで移動することができる。この状態で、ロック部１４ａ２の鍵孔を有する部材１４ａ２ａを鍵（図示せず）によって９０度右回転すると、ロック部１４ａ２に収納されているストッパ１４ａ２ｂが、カム溝１４ａ１まで突出して図３（Ｃ）に示される嵌合のロック状態に至る。この状態で、レセプタクルコネクタ１をプラグコネクタ１１から離脱しようとしても、図３（Ｄ）に示されるように、ダボ４ａ１は、ストッパ１４ａ２ｂによって矢印方向の移動を阻止される。したがって、レセプタクルコネクタ１は、プラグコネクタ１１から離脱することができない。図３（Ｄ）の状態において、鍵孔を有する部材１４ａ２ａを鍵によって９０度左回転すると、ストッパ１４ａ２ｂがカム溝１４ａ１から退出してロック部１４ａ２内に収納される。したがって、図３（Ｅ）に示されるように、ダボ４ａ１は、カム溝１４ａ１内を矢印方向に移動することができるので、レセプタクルコネクタ１は、プラグコネクタ１１から離脱することができる。
【００２２】
ロック部１４ａ２の拡大断面図を図４に示す。図４（Ａ）は、非ロック時の状態であり、この状態では、ストッパ１４ａ２ｂは、一対の引張コイルばね１４ａ２ｃによって引張られているため、カム溝１４ａ１から退出している。鍵孔を有する部材１４ａ２ａを鍵によって９０度回転すると、鍵孔を有する部材１４ａ２ａに一体に設けられた突出部材１４ａ２ａ１は、図４（Ｂ）に示されるロック時の状態のように、ストッパ１４ａ２ｂを矢印方向に押してカム溝１４ａ１内に挿入する。
【００２３】
次に、本発明の第２実施の形態例のコネクタについて図５〜図９を参照して説明する。第２実施の形態例については、第１実施の形態例と同様な点の説明を省略し、相違する点のみの説明を行う。
【００２４】
図５に示されるように、プラグコネクタ３１は、円筒形のインシュレータ３２と、インシュレータ３２に保持される１本のプラグコンタクト３３と、インシュレータ３２を被覆する円筒形部３４ａを有するシェル３４とから構成される。シェル３４は、円筒形部３４ａと円形板の支持部３４ｂとから一体に構成される。円筒形部３４ａの一端側にカム溝３４ａ１が設けられる。また、円筒形部３４ａの両端側付近の外周面に、ばね固定平面部３４ａ２が形成される。支持部３４ｂには、ケーブル３５（図６参照）が接続されている。
【００２５】
プラグコネクタ３１に付設されるロック機構について図６を参照して説明する。第１円形リング４１、第１ダイヤル錠４２、第２円形リング４３、第２ダイヤル錠４４、第３円形リング４５及び化粧板４６は、シェル３４の円筒形部３４ａにはめられる。
【００２６】
図９（Ｂ）に示されるように、第１円形リング４１、第２円形リング４３、第３円形リング４５及び化粧板４６は、３本のピン４７によってシェル３４の支持部３４ｂに固定される。第１ダイヤル錠４２と第２ダイヤル錠４４は、それぞれ第１円形リング４１の小径部４１ａと第２円形リング４３の小径部４３ａに回転可能にはめられる。
【００２７】
可動式ロック棒４８は、図８に示されるように、突出部４８ａを有する。可動式ロック棒４８は、図９（Ｃ）に示されるように、シェル３４の円筒形状部３４ａの外周面と第１乃至第３円形リング４１，４３，４５並びに第１及び第２ダイヤル錠４２，４４の各内周面との間に挿入される。そして、可動式ロック棒４８は、円筒形状部３４ａの一対のばね固定平面部３４ａ２にそれぞれ固定された一対の圧縮コイルばね４９によって、円筒形状部３４ａの外周面から隔離する方向に付勢されている。
【００２８】
図９（Ａ）と（Ｃ）に示される非ロック状態（すなわち、図７（Ａ）と（Ｂ）に示される状態）においては、可動式ロック棒４８は、第１ダイヤル錠４２の内周面凹部４２ａ内と第２ダイヤル錠４４の内周面凹部４４ａ内に位置する。
【００２９】
第１ダイヤル錠４２と第２ダイヤル錠４４を若干の角度回転すると、可動式ロック棒４８は、両ダイヤル錠４２，４４の内周面に押されて、図９（Ｄ）に示されるロック状態（すなわち、図７（Ｃ）に示される状態）に移動する。したがって、可動式ロック棒４８の突出部４８ａは、シェル３４の円筒形部３４ａのカム溝３４ａ１内に挿入される。この結果、レセプタクルコネクタ（図示せず）のダボ（第１実施の形態例参照）は、カム溝３４ａ１内の移動を阻止される。
【００３０】
ロック状態を解除して非ロック状態に戻す場合には、前述した操作と逆の操作を行う。すなわち、両ダイヤル錠４２，４４の内周面凹部４２ａ，４４ａに対応する各ダイヤル数字を、可動式ロック棒４８に対向する角度位置まで、両ダイヤル錠４２，４４を回転することによって持ち来たす。この結果、可動式ロック棒４８は、一対の圧縮コイルばね４９によって図９（Ｄ）の位置から図９（Ｃ）の位置まで移動するので、突出部４８ａは、カム溝３４ａ１内から退出する。
【００３１】
なお、ダイヤル錠の個数が多い程、セキュリティ機能は向上するが、１個でも所期の目的を達成することができる。また、本実施の形態例における第２ダイヤル錠４４の内周面凹部４４ａは、ダイヤル数字「１」に対応する箇所に設けられているが、他のダイヤル錠の内周面凹部は、他のダイヤル数字に対応する箇所に設けられると、ロック状態を解除する操作の秘密保持のために適切である。
【００３２】
更に、両実施の形態例において、レセプタクルコネクタのプラグコネクタからの離脱の阻止について説明したが、両実施の形態例は、いうまでもなく、レセプタクルコネクタとプラグコネクタとの嵌合の阻止を行うこともできる。
【００３３】
【発明の効果】
以上の説明から明らかなように、本発明によれば、次の効果が、奏される。
【００３４】
１．従来の技術では必要とされる専用工具や電気回路を、本発明では、使用せずに、鍵又はダイヤル錠という簡素で便利な手段によってコネクタの嵌合状態のロック及びロックの解除を行うことができる。
【００３５】
２．コネクタの構造が、簡単で、しかも、コストが安価である。
【００３６】
３．一対のコネクタの無用の嵌合を阻止することにも役立つ。
【図面の簡単な説明】
【図１】本発明の第１実施の形態例のコネクタにおけるレセプタクルコネクタの斜視図である。
【図２】同実施の形態例のコネクタにおけるプラグコネクタの斜視図である。
【図３】同実施の形態例のコネクタにおける要部の諸状態の拡大斜視図を順次（Ａ）〜（Ｅ）に示す。
【図４】同プラグコネクタにおけるロック部の拡大断面図であり、（Ａ）は非ロック状態、（Ｂ）はロック状態を、それぞれ示す。
【図５】本発明の第２実施の形態例のコネクタにおけるプラグコネクタの分解斜視図である。
【図６】同プラグコネクタとこれに付設されるロック機構の分解斜視図である。
【図７】同プラグコネクタにおけるダイヤル錠機構の諸正面図であり、（Ａ）はダイヤル錠によるロックと非ロックの説明図、（Ｂ）は非ロック状態、（Ｃ）はロック状態を、それぞれ示す。
【図８】同プラグコネクタにおける可動式ロック棒の斜視図である。
【図９】同プラグコネクタの同ロック機構の諸図であり、（Ａ）は正面図、（Ｂ）は（Ａ）における線Ａ−Ａによる断面図、（Ｃ）は（Ａ）における線Ｂ−Ｂによる非ロック状態の断面図、（Ｄ）は（Ａ）における線Ｂ−Ｂによるロック状態の断面図を、それぞれ示す。
【図１０】第１の従来の技術の同軸コネクタ用プラグとその専用工具であり、（Ａ）は同プラグの正面図と断面図との折半図、（Ｂ）は同専用工具の正面図を、それぞれ示す。
【符号の説明】
１    レセプタクルコネクタ
２    インシュレータ
３    レセプタクルコンタクト
４    シェル
４ａ    円筒形部
４ａ１    ダボ
４ｂ  支持部
１１    プラグコネクタ
１４    シェル
１４ａ    円筒形部
１４ａ１    カム溝
１４ａ２    ロック部
１４ａ２ａ    かぎ孔を有する部材
１４ａ２ａ１    突出部材
１４ａ２ｂ    ストッパ
１４ａ２ｃ    引張コイルばね
３１    プラグコネクタ
３２    インシュレータ
３３    プラグコンタクト
３４    シェル
３４ａ    円筒形部
３４ａ１    カム溝
３４ａ２    ばね固定平面部
３４ｂ    支持部
３５    ケーブル
４１    第１円形リング
４１ａ    小径部
４２    第１ダイヤル錠
４２ａ    内周面凹部
４３    第２円形リング
４３ａ    小径部
４４    第２ダイヤル錠
４４ａ    内周面凹部
４５    第３円形リング
４６    化粧板
４７    ピン
４８    可動式ロック棒
４８ａ    突出部
４９    圧縮コイルばね
【図１】
2004303581.tif 000003
【図２】
2004303581.tif 000004
【図３】
2004303581.tif 000005
【図４】
2004303581.tif 000006
【図５】
2004303581.tif 000007
【図６】
2004303581.tif 000008
【図７】
2004303581.tif 000009
【図８】
2004303581.tif 000010
【図９】
2004303581.tif 000011
【図１０】
2004303581.tif 000012